(57)【要約】    【課題】前枠の後ろ側に大きな突起物を設けることなく、前枠の開閉をスムーズに行うことができるようにする。    【解決手段】外枠１側に、前枠３を閉じる際の前枠３の下面３ａが外枠１の対向面２ａに当接する前に、前枠３に押されて左右方向の回転軸４５廻りに後ろ向きに回動しつつ前枠３の下面３ａを対向面２ａの上側に押し上げる回転案内部材４６を備え、回転案内部材４６は、前枠３を閉じる際に前枠３の下面側後端部が当接し且つ後ろ向きに回動するときに前枠３を押し上げて対向面２ａの上側に案内する当接受け部５７を有すると共に、前枠３の下面側後端部が当接受け部５７に当接可能な第１状態と、その略全体が対向面２ａの下側に収容される第２状態との間で上向きに回動自在である【選択図】図５
2008178744.tif 000002
【特許請求の範囲】
【請求項１】
矩形状の外枠（１）と、該外枠（１）に対して縦方向のヒンジ（４）により開閉自在に取り付けられる前枠（３）とを備え、該外枠（１）には、前記前枠（３）を閉じた状態で該前枠（３）の下面（３ａ）に対向する対向面（２ａ）を形成した遊技機において、前記外枠（１）側に、前記前枠（３）を閉じる際にその前枠（３）に押されて左右方向の回転軸（４５）廻りに後ろ向きに回動しつつ前記前枠（３）の下面（３ａ）を前記対向面（２ａ）の上側に押し上げる回転案内部材（４６）を備え、前記回転案内部材（４６）は、前記前枠（３）を閉じる際に該前枠（３）の下面側後端部が当接し且つ後ろ向きに回動するときに該前枠（３）を押し上げて前記対向面（２ａ）の上側に案内する当接受け部（５７）を有すると共に、前記前枠（３）の下面側後端部が該当接受け部（５７）に当接可能な第１状態と、その略全体が前記対向面（２ａ）の下側に収容される第２状態との間で上向きに回動自在であることを特徴とする遊技機。
【発明の詳細な説明】
【技術分野】
【０００１】
本発明は、矩形状の外枠と、この外枠に対して縦方向のヒンジにより開閉自在に取り付けられる前枠とを備え、外枠には、前枠を閉じた状態でこの前枠の下面に対向する対向面を形成したパチンコ機、アレンジボール機、スロットマシン等の各種遊技機に関するものである。
【背景技術】
【０００２】
パチンコ機、アレンジボール機、スロットマシン等の遊技機では、矩形状の外枠と、この外枠に対して縦方向のヒンジにより開閉自在に取り付けられる前枠とを備え、外枠（例えば外枠の前側下部に固定される左右方向の下枠材上）に、前枠を閉じた状態でこの前枠の下面に対向する対向面を形成したものが一般的である。
【０００３】
この種の遊技機では、前枠の裏面側に、各種入賞手段や表示手段等が装着された遊技盤、払い出し装置、発射手段等が取り付けられ、更にその前面側には、遊技盤の前側を覆うガラス扉、遊技球を貯留する上皿が装着された前面板、余剰球を貯留する下皿等が取り付けられている。
【０００４】
このように、前枠は多数の部品が取り付けられているために重量が大きく、この前枠を開閉する際には、前枠を支持しているヒンジに過大な荷重が作用することとなる。その結果、前枠を開いたときにはその前枠の開閉端側（ヒンジとは反対側の端部）が外枠側の対向面（例えば下枠材の上面）よりも垂れ下がった状態となるため、前枠を閉じる際には、単に前枠をヒンジ廻りに回転させただけでは前枠の下部後縁側が外枠側の対向面の前部と干渉してスムーズに閉じることができず、例えば前枠を持ち上げながら回転させるなどの煩わしい作業が必要であった。
【０００５】
そこで、従来より、前枠側に案内輪を設け、前枠を閉じる際にその案内輪が外枠側の対向面に乗り上げるように構成して、前枠下端部と外枠とが擦れることなくスムーズに前枠を開閉できるようにしたものが知られている（例えば、特許文献１参照）。
【特許文献１】特開２００２−８５７６２
【発明の開示】
【発明が解決しようとする課題】
【０００６】
このような案内輪を設けた従来の遊技機では、前枠を持ち上げなくても開閉動作をスムーズに行うことができるものの、案内輪が前枠の後側に大きく突出してしまうため、例えば前枠を開放した状態での作業の邪魔になって作業効率が低下するなどの欠点があった。
【０００７】
また、前枠側の構成がより一層複雑となり、組み立て工程が複雑化してしまうといった問題点もあった。
【０００８】
本発明は上記事情に鑑みてなされたものであり、前枠の後ろ側に大きな突起物を設けることなく、前枠の開閉をスムーズに行うことが可能な遊技機を提供することを目的とする。
【課題を解決するための手段】
【０００９】
本発明は、矩形状の外枠１と、該外枠１に対して縦方向のヒンジ４により開閉自在に取り付けられる前枠３とを備え、該外枠１には、前記前枠３を閉じた状態で該前枠３の下面３ａに対向する対向面２ａを形成した遊技機において、前記外枠１側に、前記前枠３を閉じる際にその前枠３に押されて左右方向の回転軸４５廻りに後ろ向きに回動しつつ前記前枠３の下面３ａを前記対向面２ａの上側に押し上げる回転案内部材４６を備え、前記回転案内部材４６は、前記前枠３を閉じる際に該前枠３の下面側後端部が当接し且つ後ろ向きに回動するときに該前枠３を押し上げて前記対向面２ａの上側に案内する当接受け部５７を有すると共に、前記前枠３の下面側後端部が該当接受け部５７に当接可能な第１状態と、その略全体が前記対向面２ａの下側に収容される第２状態との間で上向きに回動自在である。
【発明の効果】
【００１０】
以上説明したように本発明では、矩形状の外枠１と、該外枠１に対して縦方向のヒンジ４により開閉自在に取り付けられる前枠３とを備え、該外枠１には、前記前枠３を閉じた状態で該前枠３の下面３ａに対向する対向面２ａを形成した遊技機において、前記外枠１側に、前記前枠３を閉じる際にその前枠３に押されて左右方向の回転軸４５廻りに後ろ向きに回動しつつ前記前枠３の下面３ａを前記対向面２ａの上側に押し上げる回転案内部材４６を備え、前記回転案内部材４６は、前記前枠３を閉じる際に該前枠３の下面側後端部が当接し且つ後ろ向きに回動するときに該前枠３を押し上げて前記対向面２ａの上側に案内する当接受け部５７を有すると共に、前記前枠３の下面側後端部が該当接受け部５７に当接可能な第１状態と、その略全体が前記対向面２ａの下側に収容される第２状態との間で上向きに回動自在であるため、前枠３の後ろ側に大きな突起物を設けることなく、また例えば前枠３を持ち上げるなどの煩わしい手順を踏むことなく前枠３の開閉をスムーズに行うことが可能である。
【発明を実施するための最良の形態】
【００１１】
以下、本発明の各実施形態を図面に基づいて詳述する。図１〜図７は本発明をパチンコ機に採用した第１の実施形態を例示している。図１及び図２において、１は外枠で、左右一対の縦枠材１ａ，１ｂと上下一対の横枠材１ｃ，１ｄとが矩形状に組み合わされ、更に下側の横枠材１ｄに沿って左右の縦枠材１ａ，１ｂの前側を連結する左右方向の下枠材２が固定されて形成されている。
【００１２】
また、外枠１の前側には、前枠３が、左右一端側、例えば向かって左側の端部に設けられた上下一対の縦方向のヒンジ４によって開閉自在に取り付けられている。前枠３は、外枠１側に閉じたとき、その下面３ａが下枠材２の上面（対向面）２ａに対向するようになっている。
【００１３】
５はガラス扉、６は前面板で、これらは前枠３の窓孔７に対応して上下に配置され、前枠３に開閉自在に枢支されている。８は発射用の遊技球を貯留する上皿で、前面板６の前側に装着され、上皿カバー９により覆われている。また、１０は余剰球等を貯留する下皿で、前面板６の下側で前枠３の前側に装着され、下皿カバー１１により覆われている。
【００１４】
１２は遊技盤で、前枠３の窓孔７に対応するように、前枠３の裏側に設けられた門型状の遊技盤装着枠１３に裏側から着脱自在に装着され、窓孔７の下部側で前枠３の裏側に装着された支持板（図示省略）により下側から支持されている。
【００１５】
１５は発射手段で、前枠３の下部の左右方向一端側、例えば右端側に配置されており、前面板６の裏側に装着された球送り手段により発射レール１６上に１個ずつ供給される遊技球を発射方向に打撃する打撃槌１７と、この打撃槌１７を発射方向に付勢する付勢バネ１８と、カムを介して打撃槌１７を付勢バネ１８のバネ圧に抗して反発射方向に間欠的に駆動する発射モータ１９と、付勢バネ１８のバネ圧を任意に調整する操作ハンドル２０とを備えている。
【００１６】
打撃槌１７、付勢バネ１８、発射モータ１９等は取り付け板１５ａを介して前枠３の裏側に装着され、操作ハンドル２０は前枠３の前側に回動操作可能に突設されている。なお、操作ハンドル２０には、遊技者の把持を検出する接触検出スイッチ（図示省略）が設けられている。
【００１７】
遊技盤１２の前側には、図１に示すように、発射手段１５から発射された遊技球を案内するガイドレール２１が環状に装着されると共に、そのガイドレール２１の内側の遊技領域２２に、可変表示手段２３、普通図柄始動手段２４、特別図柄始動手段２５、大入賞手段２６、普通入賞手段２７等の各種遊技部品が配置されている。
【００１８】
前枠３の裏側には、図２に示すように、遊技盤１２を裏側から押さえて固定する裏機構板２８が開閉自在に装着されている。この裏機構板２８の略中央部分には開口部２８ａが形成され、その上側には遊技球タンク２９とタンクレール３０とが、左右方向の片側にはタンクレール３０の下流側に接続された払い出し装置３１が、下側には通路ユニット３２がそれぞれ設けられている。遊技球タンク２９からタンクレール３０を経由して払い出し装置３１から払い出された遊技球は、通路ユニット３２を経由して上皿８に排出される。
【００１９】
裏機構板２８の開口部２８ａには、遊技盤１２の裏側を覆う裏カバー３３が嵌合されている。この裏カバー３３には、主制御基板、ランプ制御基板、音声制御基板等を夫々収納した基板ケース３４，３５，３６等が着脱可能に装着されている。更に、裏カバー３３の下側の裏機構板２８上には、電源基板、払い出し制御基板等を収納した基板ケース３７等が着脱可能に装着されている。
【００２０】
下枠材２の上面２ａ側には、ヒンジ４とは反対側の端部近傍に案内ユニット４１が設けられている。案内ユニット４１は、図４等に示すように、左右一対の相対向する例えば矩形板状の側板部４２とそれら側板部４２の下端部を左右に接続する連結板部４３とを一体に備えた本体枠４４と、この本体枠４４の左右の側板部４２間に架け渡された左右方向の回転軸４５と、この回転軸４５により回動自在に支持された回転案内部材４６と、この回転案内部材４６を所定方向に付勢するコイルバネ等のバネ部材（付勢手段）４７とを備え、下枠材２の上面２ａ側に設けられた取り付け溝４８内に着脱自在に装着されている。
【００２１】
本体枠４４は、例えば金属製で、側板部４２の前後方向幅が下枠材２の板厚と略同一に形成されている。また取り付け溝４８は、下枠材２の裏面側から前面側にかけて前後方向に形成されており、その下枠材２の上面２ａからの深さは本体枠４４（側板部４２）の上下方向幅と、左右方向幅は本体枠４４（連結板部４３）の左右方向幅と、夫々略同一に形成されている。即ち、本体枠４４は、取り付け溝４８に嵌合したとき、側板部４２が取り付け溝４８の左右の側面に、連結板部４３が取り付け溝４８の底面に、夫々一致するようになっている。
【００２２】
本体枠４４の前側下部には、例えば金属製の回転軸４５が、その両端側を側板部４２に固定された状態で取り付けられている。
【００２３】
また、例えば本体枠４４の後部側には、左右の側板部４２の後縁部から下枠材２の裏面側に沿って固定板部４９が一体に形成されており、本体枠４４は、この固定板部４９を取り付けネジ５０でネジ止めすることにより下枠材２に対して着脱自在に固定されている。
【００２４】
なお、固定板部４９は、例えば本体枠４４の上部側に、下枠材２の上面２ａ側に沿って設けてもよい。但しこの場合には、固定板部４９の上面側が下枠材２の上面２ａよりも上側に突出しないように、下枠材２の上面２ａ側に固定板部４９を埋めこむための取り付け凹部を必ず形成する必要がある。また、固定板部４９は、例えば本体枠４４の前部側に、下枠材２の前面側に沿って設けてもよい。
【００２５】
回転案内部材４６は、前枠３を閉じる際にその前枠３の下端側に押されて回転軸４５廻りに回動し、前枠３の開閉端側を上向きに押し上げて前枠３の下面側後端部と下枠材２の上面側前端部との擦れを防止するためのもので、図５等に示すように、略直線状の３つの辺部５１〜５３を有し且つそれら３つの辺部５１〜５３で挟まれた３つの角部がＲ状（以下、Ｒ部５４〜５６という）に形成された側面視略三角形に形成されている。回転案内部材４６は、例えば金属製で、前枠３の重量に耐えられる程度の十分な強度を得られる板厚（左右方向寸法）に形成する必要がある。
【００２６】
また、回転案内部材４６は、図５に示すように、Ｒ部５４の近傍において回転軸４５により回動自在に保持されており、例えばそのＲ部５４を挟む一方の辺部５１側が本体枠４４の連結板部４３の前部上面側に当接する第１状態（図５に実線で示す）と、他方の辺部５２側が連結板部４３の後部上縁側に当接する第２状態との間で上向きに揺動可能となっている。
【００２７】
回転案内部材４６が第１状態にあるときには、少なくともＲ部５４に対向する辺部５３の略全体が下枠材２の前面側（上面２ａの前端側）よりも前側に突出した状態となり、前枠３を閉じる際にはその前枠３の下面側後端部がこの辺部５３上の１点（以下、当接受け部５７という）に当接するようになっている。
【００２８】
この辺部５３は、その略全体、少なくとも当接受け部５７となり得る範囲については、第１状態において下枠材２の前面側（上面２ａの前端側）よりも前側で且つ回転軸４５よりも上側の位置に保持されると共に、回転軸４５からこの当接受け部５７までの距離が、回転軸４５から下枠材２の上面側前端部までの距離よりも長くなるように形成されている。即ち、回転案内部材４６が第１状態と第２状態との間で揺動移動する際には、当接受け部５７は必ず下枠材２の上面側前端部の外側を移動する。
【００２９】
また、回転案内部材４６が第１状態にあるとき、辺部５３は例えば鉛直よりも若干前下がりの状態となり、またＲ部５５は下枠材２の上面側よりも若干上側に突出した状態となる。更に、回転案内部材４６が第２状態にあるときには、回転案内部材４６はその略全体が下枠材２２内に収容されて少なくとも下枠材２の上面２ａよりも上側に突出しないようになっている。
【００３０】
バネ部材４７は例えば回転軸４５に取り付けられており、その一端側４７ａが本体枠４４側に、他端側４７ｂが回転案内部材４６側に夫々係合され、回転案内部材４６を第２状態から第１状態に向けて付勢している。前枠３が閉じた状態では、回転案内部材４６は、バネ部材４７の付勢により、第２状態と第１状態との中間の状態、即ちその縁部上の１カ所（例えばＲ部５６又はその近傍）が前枠３の下面３ａに当接した中間状態（図５に二点鎖線で示す）で保持される。
【００３１】
前枠３の下面３ａ側には、図３等に示すように、下枠材２側の回転案内部材４６に対応して補強板６１が設けられている。補強板６１は、前枠３の下面側前端部から後端部を経て裏面側に至る部分を覆う断面Ｌ字型に形成されており、取り付けネジ６２等により前枠３に対して着脱自在に装着されている。
【００３２】
また、前枠３の下面３ａ側で且つ回転案内部材４６に対応する部分（即ち補強板６１の装着部分）よりもヒンジ４側には、その後部側を後上がりの傾斜状に切り欠いた案内傾斜面６３が形成されている。傾斜案内面６３は、前枠３を開いてその開閉端側の下面３ａが下枠材２の上面２ａよりも垂れ下がった状態となったとき、その後縁側６３ａが略水平となるように、後縁側６３ａがヒンジ４の近傍から補強板６１側に向けて前枠３の下面側に対して徐々に高くなるように形成されている。また、傾斜案内面６３は、その前後方向の傾斜角が左右方向全体にわたって略一定となっており、その前縁側６３ｂの位置がヒンジ４側から補強板６１側に向けて徐々に前側に移動する細長三角形状に形成されている。
【００３３】
続いて、前枠３の開閉時の動作状態について図５及び図６を参照しつつ説明する。図５に実線で示すように、前枠３を前側に開放した状態では、ヒンジ４のガタと前枠３の自重により、前枠３の開閉端側の下面３ａは閉鎖時の位置（下枠材２の上面２ａの位置）よりも垂れ下がった状態となる。
【００３４】
また、下枠材２側の案内ユニット４１は、回転案内部材４６がバネ部材４７の付勢により第１状態に保持されて辺部５３側が下枠材２の前側に突出した状態となっている。
【００３５】
この状態から前枠３を徐々に閉じてゆくと、前枠３の下面３ａ側がヒンジ４側から徐々に下枠材２の上面２ａ側に重なってゆく。このとき、前枠３の下面３ａ側には傾斜案内面６３が形成されているため、前枠３の下面３ａ側は下枠材２の上面２ａ側に殆ど擦れることはなく、また擦れたとしても傾斜案内面６３に案内されてスムーズに乗り上げてゆく。
【００３６】
そして、前枠３を所定位置まで閉じたとき、前枠３の下面側後端部が回転案内部材４６の辺部５３上の所定位置（当接受け部５７）に当接する（図６（ａ））。このとき、回転案内部材４６はその当接受け部５７に後ろ向きの力を受ける。当接受け部５７は回転軸４５よりも高い位置にあるため、その後ろ向きの力によって回転案内部材４６には回転軸４５廻りのモーメントが発生し、回転案内部材４６は前枠３の後方への移動に伴って後ろ向きに回転を始める。
【００３７】
回転案内部材４６が後ろ向きに回転を始めると、当接受け部５７の位置が徐々に上昇し、それによって前枠３はその当接受け部５７から上向きの力を受ける。これにより、前枠３はその下面側後端部を当接受け部５７に支持された状態で上斜め後方に持ち上げられる（図６（ｂ））。このとき、当接受け部５７は、下枠材２の上面側前端部の外側を移動するため、前枠３はその下面側後端部が下枠材２の上面側前端部に当接することなく下枠材２の上方に移動する。
【００３８】
その後、回転案内部材４６が更に回転し、当接受け部５７がその移動経路の最上位位置を過ぎると、例えば前枠３が回転案内部材４６上を相対的に転がって、前枠３と回転案内部材４６との当接位置が徐々に移動する（図６（ｃ））。即ち、回転案内部材４６側の支持位置が当接受け部５７からそれよりも前側に徐々に移動し、前枠３側の被支持位置がその下面３ａを徐々に前向きに移動する。
【００３９】
そして、やがて前枠３の下面３ａが下枠材２の上面２ａに当接すると、その後は前枠３は下枠材２の上面２ａ上を摺動しつつ全閉位置まで移動する（図６（ｄ））。その際、回転案内部材４６は、バネ部材４７の付勢により、その縁部上の１カ所（例えばＲ部５６又はその近傍）を前枠３の下面３ａに当接させた中間状態で保持される。
【００４０】
このように、本実施形態では、前枠３を閉じる際に、下枠材２側の回転案内部材４６が前枠３の下面側後端部に押されて後ろ向きに回転する際にその前枠３を上向きに押し上げつつ下枠材２の上面２ａの上側に案内するように作用するため、前枠３を持ち上げつつ回転させる等の煩わしい手順を踏むことなく前枠３の開閉をスムーズに行うことが可能となる。また、前枠３側にはその後方に突起するものがないため、前枠３を開放した状態での作業が阻害されることもない。
【００４１】
次に、前枠３を開放する場合には、前枠３及び回転案内部材４６は例えば図７のように動作する。即ち、前枠３を全閉状態から開方向に引き出すと、回転案内部材４６は、前枠３の下面３ａとの間の摩擦がある程度大きい場合には、前枠３の前側への移動と共に中間状態から前向きに回転を始める。これにより、前枠３側は回転案内部材４６側のＲ部５６から上向きの力を受けて上斜め前方に持ち上げられる（図７（ａ）→（ｂ））。
【００４２】
その後、前枠３の前側への移動と共に、回転案内部材４６が更に前向きに回転し、前枠３は回転案内部材４６上を相対的に転がってゆく。そして、例えば回転案内部材４６が第１状態までくると、その後は前枠３が回転案内部材４６側のＲ部５５上を前向きに摺動して（図７（ｃ））、下面側後端部がＲ部５５を通過すると、辺部５３上を摺動しつつ下枠材２の前側に落下する（図７（ｄ））。
【００４３】
なお、前枠３を開放する際には、回転案内部材４６と前枠３の下面３ａとの間の摩擦が小さい場合、前枠３を全閉状態から前側に引き出す際に回転案内部材４６が中間状態のまま回転しない場合もあり得る。この場合には、前枠３は回転案内部材４６により上向きに押し上げられることなく下枠材２の前端側から落下することになるが、特に問題はない。なおこの場合は、回転案内部材４６はバネ部材４７の付勢により、前向きに移動する前枠３の後を追って中間状態から前向きに揺動し、前枠３が開放されたときには第１状態に移動する。
【００４４】
以上説明したように、本実施形態では、下枠材２の上部側に、少なくとも前枠３を閉じる際にその前枠３に押されて左右方向の回転軸４５廻りに回動しつつ前枠３の下面３ａを下枠材２の上面２ａの上側に押し上げる回転案内部材４６を備えているため、前枠３を持ち上げつつ回転させる等の煩わしい手順を踏むことなく前枠３の開閉をスムーズに行うことが可能となる。また、前枠３側にはその後方に突起するものがないため、前枠３を開放した状態での作業が阻害されることもない。
【００４５】
回転案内部材４６は、前枠３を閉じる際にその前枠３の下面側後端部が当接する当接受け部５７が下枠材２の上面２ａの前端側よりも前側で且つ回転軸４５よりも上側の位置に保持される第１状態と、その略全体が前記下枠材２の内側に収容されて少なくとも下枠材２の上面２ａよりも上側に突出しない第２状態との間で上向きに揺動自在に構成され、その揺動時に、当接受け部５７が下枠材２の上面側前端部の外側を通過するように構成されているため、前枠３を閉じる際に前枠３の下面側後端部が下枠材２の上面側前端部に当接することなく下枠材２の上側に案内されると共に、前枠３が閉じた状態では回転案内部材４６は下枠材２の内側に収容されて邪魔になることもない。
【００４６】
回転案内部材４６を第２状態から第１状態に向けて付勢する付勢手段４７を備えているため、前枠３を開放した状態では必ず回転案内部材４６が第１状態に保持され、前枠３を閉じる際にわざわざ回転案内部材４６を第１状態まで回転させる手間を省くことができる。
【００４７】
回転案内部材４６は、第２状態ではその略全体が下枠材２の前面側よりも後方に収容されるように構成されているため、前枠３を閉じた状態では回転案内部材４６は下枠材２の前側に突出せず、見栄えを損なうこともない。
【００４８】
回転案内部材４６を下枠材２の上面２ａにおけるヒンジ４とは反対側の端部近傍に設けているため、ヒンジ４に近い位置に設ける場合と比べて回転案内部材４６側の耐荷重を小さくすることができる。
【００４９】
前枠３の下面３ａ側で且つ回転案内部材４６に対応する部分よりもヒンジ４側に、その後部側を後上がりの傾斜状に切り欠いた傾斜案内面６３を形成しているため、前枠３を閉じる際にその下面側後端部が回転案内部材４６に当接するまでの間、前枠３のヒンジ４側の下端部を下枠材２の上側にスムーズに案内させることができる。
【００５０】
前枠３の下面３ａ側の少なくとも回転案内部材４６の当接部分に補強板６１を装着しているため、回転案内部材４６による前枠３側の摩耗や損傷を極力小さくすることができ、また摩耗等が進行した場合には補強板６１のみの交換で対応することができる。
【００５１】
回転案内部材４６を下枠材２に対して着脱自在に装着しているため、回転案内部材４６側の摩耗が進行したり破損した場合には回転案内部材４６側のみを容易に交換することができる。
【００５２】
図８は本発明の第２の実施形態を例示し、第１の実施形態における前枠３側の構成を一部変更した例を示している。
【００５３】
本実施形態では、前枠３側の補強板６１の前側に上向きの凹部６４を設けている。この凹部６４は、前枠３を閉じたとき、例えばその前縁側６４ａに回転案内部材４６側のＲ部５６が後側から係合した状態（中間状態）となり、且つその状態で回転案内部材４６側の前縁側（辺部５１）が本体枠４４の前縁側、即ち下枠材２の前面側と略一致するように形成されている。
【００５４】
このような構成とすることで、前枠３を閉じたとき、回転案内部材４６の前縁側の位置が本体枠４４の前縁側と略一致するため、下枠材２の前面側の凹凸が少なくなり、遊技機本体の見栄えがよくなるという利点がある。
【００５５】
図９〜図１１は本発明の第３の実施形態を例示し、回転案内部材４６の形状を変更した例を示している。なお、本体枠４４は第１の実施形態と同様の構成を採用している。
【００５６】
図９に示すように、本実施形態の回転案内部材４６は、円弧部７１を備えた略扇形に形成されており、円弧部７１に対向する角部７２の内角は９０°又はそれよりも小さな所定角度に形成されている。角部７２はＲ状に形成されており（以下、Ｒ部７２という）、回転案内部材４６はこのＲ部７２の内側で回転軸４５により回動自在に保持されており、例えばそのＲ部７２を挟む一方の辺部７３が本体枠４４の連結板部４３の前部上面側に当接する第１状態（図９に実線で示す）と、他方の辺部７４が連結板部４３の後部上縁側に当接する第２状態との間で上向きに揺動可能となっている。円弧部７１は、例えば回転軸４５を中心とする円弧状に形成されている。
【００５７】
また、回転案内部材４６は、第１の実施形態と略同様のバネ部材（付勢手段）により第２状態から第１状態に向けて付勢されている。
【００５８】
辺部７３上には、回転案内部材４６が第１状態にあるとき、即ち辺部７３が連結板部４３の前部上面側に当接した状態のときに連結板部４３の前縁側に当接して回転案内部材４６の前側への回動を規制するストッパー７５が、突起状に一体形成されている。なお、辺部７３が連結板部４３の前部上面側に当接することにより回転案内部材４６の前側への回動を十分に規制することができる場合にはストッパー７５は省略してもよい。
【００５９】
円弧部７１は、その半径（回転軸４５からの距離）が、回転軸４５から下枠材２の上面側前端部までの距離よりも長く形成されている。即ち、回転案内部材４６が第１状態と第２状態との間で揺動移動する際には、円弧部７１は下枠材２の上面側前端部の外側を移動する。
【００６０】
更に、回転案内部材４６は、第１状態にあるとき、円弧部７１の大部分が下枠材２の前面側よりも前側に突出した状態となり、前枠３を閉じる際にはその前枠３の下面側後端部がこの円弧部７１に当接するようになっている。なお、この当接位置は必ず回転軸４５よりも上側となるように、回転軸４５の位置が設定されている。また、回転案内部材４６が第２状態にあるときには、回転案内部材４６はその略全体が下枠材２２内に収容されて少なくとも下枠材２の上面側よりも上側に突出しないようになっている。
【００６１】
円弧部７１上には、切り欠き状の当接受け部５７が形成されている。この当接受け部５７は、前枠３を閉じる際にその前枠３の下面側後端部が最初に当接する位置と略同じかそれよりも上側（辺部７４側）に設けられている。
【００６２】
この回転案内部材４６に対応する前枠３側の補強板６１には、第２の実施形態と同様、その前側に上向きの凹部６４を設けている。この凹部６４は、前枠３を閉じたとき、例えばその前縁側６４ａに回転案内部材４６側の円弧部７１と辺部７３との間のＲ状の角部（以下、Ｒ部７６という）が後側から係合した状態（中間状態、図９に二点鎖線で示す）となるように形成されている。なお、前枠３側には第１の実施形態と同様の傾斜案内部６３が設けられている。
【００６３】
続いて、前枠３の開閉時の動作状態について図９及び図１０を参照しつつ説明する。図９に実線で示すように、前枠３を前側に開放した状態では、ヒンジ４のガタと前枠３の重量により、前枠３の開閉端側の下面３ａは閉鎖時の位置（下枠材２の上面側の位置）よりも垂れ下がった状態となる。
【００６４】
また、下枠材２側の案内ユニット４１は、回転案内部材４６がバネ部材４７の付勢により第１状態に保持され、その当接受け部５７が下枠材２の前側に位置した状態となっている。
【００６５】
この状態から前枠３を徐々に閉じてゆくと、前枠３の下面３ａがヒンジ４側から徐々に下枠材２の上面２ａ側に重なってゆく。このとき、前枠３の下面３ａには傾斜案内面６３が形成されているため、前枠３の下面３ａは下枠材２の上面２ａに殆ど擦れることはなく、また擦れたとしても傾斜案内面６３に案内されてスムーズに乗り上げてゆく。
【００６６】
そして、前枠３を所定位置まで閉じたとき、前枠３の下面側後端部が回転案内部材４６の円弧部７１上の例えば当接受け部５７に直接当接（係合）し、又はそれよりも下側（辺部７３側）に当接した後、上向きに摺動して当接受け部５７に係合する（図１０（ａ））。このとき、回転案内部材４６はその当接受け部５７に後ろ向きの力を受ける。当接受け部５７は回転軸４５よりも高い位置にあるため、その後ろ向きの力によって回転案内部材４６には回転軸４５廻りのモーメントが発生し、回転案内部材４６は前枠３の移動に伴って後ろ向きに回転を始める。
【００６７】
回転案内部材４６が後ろ向きに回転を始めると、当接受け部５７の位置が徐々に上昇し、それによって前枠３はその当接受け部５７から上向きの力を受ける。これにより、前枠３はその下面側後端部を当接受け部５７に支持された状態で上斜め後方に持ち上げられる（図１０（ｂ））。このとき、当接受け部５７は、下枠材２の上面側前端部の外側を移動するため、前枠３はその下面側後端部が下枠材２の上面側前端部に当接することなく下枠材２の上面２ａの上側に移動する。
【００６８】
その後、回転案内部材４６が更に回転し、当接受け部５７がその移動経路の最上位位置を過ぎると、例えば前枠３が回転案内部材４６上を相対的に転がって、前枠３と回転案内部材４６との当接位置が徐々に移動する。即ち、回転案内部材４６側の支持位置が当接受け部５７からそれよりも前側に徐々に移動し、前枠３側の被支持位置がその下面３ａを徐々に前向きに移動する。
【００６９】
回転案内部材４６が第２状態に達すると、前枠３は回転案内部材４６のＲ部７６上を後ろ向きに摺動する（図１０（ｃ））。そして、補強板６１側の凹部６４に回転案内部材４６側のＲ部７６が嵌合して前枠３が全閉位置に達すると、回転案内部材４６はバネ部材４７の付勢によりそのＲ部７６が補強板６１側の凹部６４の前縁側６４ａに当接するまで前向きに回転し、停止する。
【００７０】
このように、本実施形態では、前枠３を閉じる際に、下枠材２側の回転案内部材４６が前枠３の下端側に押されて後ろ向きに回転する際にその前枠３を上向きに押し上げるように作用するため、前枠３側の構成を複雑化することなく、前枠３の開閉をスムーズに行うことが可能となる。また、前枠３側にはその後方に突起するものがないため、前枠３を開放した状態での作業が阻害されることもない。
【００７１】
更に、前枠３が当接する部分が円弧状（円弧部７１）に形成されているため、前枠３が下枠材２の上側に乗り上げた後、前枠３を上下方向にがたつかせることなく全閉位置までスムーズに案内することができる。
【００７２】
前枠３を開放する場合には、前枠３及び回転案内部材４６は例えば次のように動作する。即ち、前枠３を全閉状態から開方向に引き出すと、回転案内部材４６は、前枠３の前側への移動と共に中間状態から前向きに回転を始める。これにより、前枠３側は回転案内部材４６側の円弧部７１から上向きの力を受けて上斜め前方に持ち上げられる（図１１（ａ）→（ｂ））。
【００７３】
その後、前枠３の前側への移動と共に、回転案内部材４６が更に前向きに回転し、前枠３は回転案内部材４６上を相対的に転がってゆく。そして、例えば回転案内部材４６が第１状態までくると、その後は前枠３が回転案内部材４６側のＲ部７７（円弧部７１と辺部７４との間のＲ状の角部）上を前向きに摺動して（図１１（ｃ））、下面側後端部がＲ部７７を通過すると、円弧部７１上を摺動しつつ下枠材２の前側に落下する（図１１（ｄ））。
【００７４】
図１２は本発明の第４の実施形態を例示し、第３の実施形態を変更して、当接受け部５７を円弧部７１上の所定範囲に複数個形成した例を示している。このような構成とすることで、前枠３の開放時の垂れ下がり量が変化しても、前枠３側の下面側後端部を何れかの当接受け部５７に確実に係合させて回転案内部材４６を後ろ向きに回転させることが可能となる。
【００７５】
各実施形態には、次の発明が記載されている。第１の発明は、矩形状の外枠１と、該外枠１に対して縦方向のヒンジ４により開閉自在に取り付けられる前枠３とを備え、該外枠１には、前記前枠３を閉じた状態で該前枠３の下面３ａに対向する対向面２ａを形成した遊技機において、前記外枠１側に、前記前枠３を閉じる際にその前枠３に押されて左右方向の回転軸４５廻りに回動しつつ前記前枠３の下面３ａを前記対向面２ａの上側に押し上げる回転案内部材４６を備えたものである。
【００７６】
第２の発明は、第１の発明において、前記回転案内部材４６は、前記前枠３を閉じる際にその前枠３の下面側後端部が当接する当接受け部５７が前記対向面２ａの前端側よりも前側で且つ前記回転軸４５よりも上側の位置に保持される第１状態と、その略全体が前記対向面２ａの下側に収容される第２状態との間で上向きに揺動自在に構成され、その揺動時に、前記当接受け部５７が前記対向面２ａの前端の外側を通過するように構成されているものである。
【００７７】
第３の発明は、第２の発明において、前記回転案内部材４６を前記第２状態から前記第１状態に向けて付勢する付勢手段４７を備えたものである。第４の発明は、第２又は第３の発明において、前記回転案内部材４６は、前記第２状態ではその略全体が前記対向面２ａの前端側よりも後方に収容されるように構成されているものである。
【００７８】
第５の発明は、第２〜４の何れかの発明において、前記当接受け部５７を、前記前枠３を閉じる際にその前枠３の下面側後端部が係合可能な切り欠き状に形成したものである。第６の発明は、第２〜５の何れかの発明において、前記回転案内部材４６は角部がＲ状に形成された側面視略三角形に形成され、その１つの角部５４近傍に前記回転軸４５が、その回転軸４５に対向する辺部５３上に前記当接受け部５７が形成されているものである。
【００７９】
第７の発明は、第２〜５の何れかの発明において、前記回転案内部材４６は略扇形に形成され、その円弧部７１に対向する角部７２の内側に前記回転軸４５が、その円弧部７１上に前記当接受け部５７が形成されているものである。
【００８０】
第８の発明は、第２〜７の何れかの発明において、前記前枠３の下面３ａ側に、前記第２状態にある回転案内部材４６の上部側を収容する凹部６４を設けたものである。第９の発明は、第１〜８の何れかの発明において、前記回転案内部材４６を前記対向面２ａにおける前記ヒンジ４とは反対側の端部近傍に設けたものである。第１０の発明は、第１〜９の何れかの発明において、前記前枠３の下面３ａ側で且つ前記回転案内部材４６に対応する部分よりも前記ヒンジ４側に、その後部側を後上がりの傾斜状に切り欠いた傾斜案内面６３を形成したものである。
【００８１】
以上、本発明の実施形態について詳述したが、本発明はこの実施形態に限定されるものではなく、本発明の趣旨を逸脱しない範囲で種々の変更が可能である。例えば、回転案内部材４６は、実施形態で示したような略三角形状、略扇形状以外の種々の形状を採用できる。例えば、第１の実施形態においては回転案内部材４６の各辺部５１〜５３を略直線状に形成したが、円弧状等の曲線状に形成してもよい。
【００８２】
回転案内部材４６を略扇形以外の形状に形成した場合でも、当接受け部５７を切り欠き状に形成してもよい。また、当接受け部５７は前枠３と回転案内部材４６との滑りを抑制できるものであればよく、例えば突起状に形成してもよい。
【００８３】
その他、本発明は、パチンコ機だけでなくアレンジボール機や雀球遊技機等のその他の弾球遊技機をはじめ、スロットマシン等の各種遊技機においても同様に実施可能である。
【００８４】
例えば一般的なスロットマシンのように外枠の前側下部に下枠材が設けられていないものであっても、外枠の下側の横枠材の前側等に前枠の下面に対向する対向面を有するものであれば本発明を適用することができ、例えば横枠材の前側等に実施形態と同様の回転案内部材４６を設けることで実施形態と同様の効果が期待できる。
【図面の簡単な説明】
【００８５】
【図１】本発明の第１の実施形態を示すパチンコ機の正面図である。
【図２】本発明の第１の実施形態を示すパチンコ機の前枠を開いた状態を示す斜視図である。
【図３】本発明の第１の実施形態を示すパチンコ機の前枠に設けられた傾斜案内面の近傍の斜視図及び断面図である。
【図４】本発明の第１の実施形態を示す案内ユニット近傍の斜視図である。
【図５】本発明の第１の実施形態を示す案内ユニット近傍の断面図である。
【図６】本発明の第１の実施形態を示す前枠閉鎖時の案内ユニットの動作を示す説明図である。
【図７】本発明の第１の実施形態を示す前枠開放時の案内ユニットの動作を示す説明図である。
【図８】本発明の第２の実施形態を示す案内ユニット近傍の断面図である。
【図９】本発明の第３の実施形態を示す案内ユニット近傍の断面図である。
【図１０】本発明の第３の実施形態を示す前枠閉鎖時の案内ユニットの動作を示す説明図である。
【図１１】本発明の第３の実施形態を示す前枠開放時の案内ユニットの動作を示す説明図である。
【図１２】本発明の第４の実施形態を示す案内ユニット近傍の断面図である。
【符号の説明】
【００８６】
１    外枠
２ａ  対向面
３    前枠
３ａ  下面
４    ヒンジ
４５    回転軸
４６    回転案内部材
４７    バネ部材（付勢手段）
５３    辺部
５４    Ｒ部（角部）
５７    当接受け部
６３    傾斜案内面
６４    凹部
７１    円弧部
７２    Ｒ部（角部）
【図１】
2008178744.tif 000003
【図２】
2008178744.tif 000004
【図３】
2008178744.tif 000005
【図４】
2008178744.tif 000006
【図５】
2008178744.tif 000007
【図６】
2008178744.tif 000008
【図７】
2008178744.tif 000009
【図８】
2008178744.tif 000010
【図９】
2008178744.tif 000011
【図１０】
2008178744.tif 000012
【図１１】
2008178744.tif 000013
【図１２】
2008178744.tif 000014